(57)【要約】      （修正有）【課題】液晶モニタとコンピュータ本体とを一体化でき、コンパクトで拡張性を高めることもできるコンピュータ筐体を提供する。【解決手段】マザーボードが収容される筐体本体１０と、液晶モニタ３０を取り付けるためのモニタ取付部材２０とから成り、筐体本体１０の前面１１の下部から前方に平台１２が突出して、筐体本体１０は側面視Ｌ字形をなし、平台１２の上方において筐体本体１０の前面１１にモニタ取付部材２０を設置し、平台１２は、内部にコンピュータ周辺機器を収容可能な収容空間を有すると共に、モニタ取付部材２０に取り付けた液晶モニタ３０の下端を支持するものである。【選択図】図２
0003144013.tif 000002
【実用新案登録請求の範囲】
【請求項１】
マザーボードが収容される筐体本体と、液晶モニタを取り付けるためのモニタ取付部材とから成り、前記筐体本体の前面下部から前方に平台が突出して、前記筐体本体は側面視Ｌ字形をなし、該平台の上方において前記筐体本体の前面に前記モニタ取付部材を設置し、前記平台は、内部にコンピュータ周辺機器を収容可能な収容空間を有すると共に、前記モニタ取付部材に取り付けた液晶モニタの下端を支持するものであることを特徴としたコンピュータ筐体。
【請求項２】
前記コンピュータ周辺機器は、ハードディスク、光ディスクドライブ、書き込み装置及び電源供給装置を含む請求項１に記載のコンピュータ筐体。
【請求項３】
前記光ディスクドライブ及び書き込み装置のディスクスロットを前記平台の前面パネルに設け、前方から光ディスクを出し入れ可能とした請求項２に記載のコンピュータ筐体。
【請求項４】
前記電源供給装置の通気と放熱を行なう通風孔を前記筐体本体の側面下部に設けた請求項２に記載のコンピュータ筐体。
【請求項５】
前記筐体本体内の装置へ接続するためのコネクタを、該筐体本体の側面に設けた請求項１に記載のコンピュータ筐体。
【請求項６】
前記モニタ取付部材は、前記筐体本体の前面に固定される第一固定部材と、前記液晶モニタの背面に固定される第二固定部材とから成り、これら第一固定部材と第二固定部材とを係合することにより、前記液晶モニタが前記筐体本体の前面に取り付けられる請求項１に記載のコンピュータ筐体。
【請求項７】
前記第一固定部材及び第二固定部材に、互いにスライド可能に係合する第一レール及び第二レールをそれぞれ縦方向に沿って装着し、該第一レールと第二レールとをスライドさせることにより、前記液晶モニタの高さを調節可能とした請求項６に記載のコンピュータ筐体。
【請求項８】
前記第一固定部材及び第二固定部材のいずれか一方に複数の嵌合孔を縦に並べて形成すると共に、他方に突起を設け、前記嵌合孔の１つを選択して前記突起を嵌合することにより、前記液晶モニタがその高さを調節して固定される請求項６又は７に記載のコンピュータ筐体。
【請求項９】
前記突起と嵌合孔との嵌合の解除操作を行なうハンドルを設けた請求項８に記載のコンピュータ筐体。
【請求項１０】
前記第一固定部材に、前記液晶モニタの背面に固定される回転盤を設けた請求項６〜９のいずれかに記載のコンピュータ筐体。
【考案の詳細な説明】
【技術分野】
【０００１】
本考案は、液晶モニタを取り付け可能なコンピュータ筐体に関する。
【背景技術】
【０００２】
近年、コンピュータ関連技術の絶え間ない前進と革新により、コンピュータは商業用途のみならず、各家庭の日常的な事務処理をも助けるようになっている。
例えば、コンピュータベアボーン（Ｂａｒｅｂｏｎｅ）は、家庭において「マルチメディア音響・映像センター」として用いるために、音響・映像マルチメディア技術と結合される。
このようなコンピュータベアボーンは、家電として受け入れられるよう、多くは薄く且つ小型化されており、一般的に「ミニコンピュータ」とも称される。しかし、小型化されたコンピュータベアボーンは、一部消費者には支持されているものの、拡張性が不足しているため、コンピュータプレイヤーの購買意欲をそぐことも多い。
【０００３】
また、このようなコンピュータベアボーンの筐体は薄くて小型であるため、特殊なマザーボードが必要であり、デスクトップコンピュータのマザーボードと共用することができない。
さらに、コンピュータの筐体内部に、ハードディスク、メモリ、光ディスクドライブ、ハイレベルのディスプレイカード（一般に大型放熱器が設置され、体積がやや大きい）或いは他のコンピュータ周辺機器を多数収容することができない。
【０００４】
一方、パーソナルコンピュータに使用される液晶モニタは大型化する傾向にあって、１５インチであったものが、近年では２２インチ、２６インチなどとなっており、デスクトップコンピュータと大型の液晶モニタは、徐々に個人専用のマルチメディア音響・映像センターとなりつつある。
しかしながら、現在、デスクトップコンピュータの拡張性の良さと、ミニコンピュータのコンパクトさとを兼ね備えたものは市販されていない。
さらに、コンピュータ本体を薄型化して大型の液晶モニタの背部に設置したコンピュータも登場しているが、このようなコンピュータ本体はコンパクトであるものの、ベアボーンと同様に拡張性に劣る。
【考案の開示】
【考案が解決しようとする課題】
【０００５】
本考案が解決しようとする課題は、液晶モニタとコンピュータ本体とを一体化でき、コンパクトで拡張性を高めることもできるコンピュータ筐体を提供することにある。
【課題を解決するための手段】
【０００６】
本考案のコンピュータ筐体は、マザーボードが収容される筐体本体と、液晶モニタを取り付けるためのモニタ取付部材とから成り、前記筐体本体の前面下部から前方に平台が突出して、前記筐体本体は側面視Ｌ字形をなし、該平台の上方において前記筐体本体の前面に前記モニタ取付部材を設置し、前記平台は、内部にコンピュータ周辺機器を収容可能な収容空間を有すると共に、前記モニタ取付部材に取り付けた液晶モニタの下端を支持するものである。
【０００７】
以下の構成を採用しても良い。
前記コンピュータ周辺機器が、ハードディスク、光ディスクドライブ、書き込み装置及び電源供給装置のような比較的重い装置を含む構成。
この時、前記光ディスクドライブ及び書き込み装置のディスクスロットを前記平台の前面パネルに設け、前方から前記光ディスクを出し入れ可能とした構成。
また、前記電源供給装置の通気と放熱を行なう通風孔を前記筐体本体の側面下部に設けた構成。
【０００８】
前記筐体本体内の装置へ接続するためのコネクタを、該筐体本体の側面に設けた構成。
前記モニタ取付部材は、前記筐体本体の前面に固定される第一固定部材と、前記液晶モニタの背面に固定される第二固定部材とから成り、これら第一固定部材と第二固定部材とを係合することにより、前記液晶モニタが前記筐体本体の前面に取り付けられる構成。
前記第一固定部材及び第二固定部材に、互いにスライド可能に係合する第一レール及び第二レールをそれぞれ縦方向に沿って装着し、該第一レールと第二レールとをスライドさせることにより、前記液晶モニタの高さを調節可能とした構成。
【０００９】
前記第一固定部材及び第二固定部材のいずれか一方に複数の嵌合孔を縦に並べて形成すると共に、他方に突起を設け、前記嵌合孔の１つを選択して前記突起を嵌合することにより、前記液晶モニタがその高さを調節して固定される構成。
前記突起と嵌合孔との嵌合の解除操作を行なうハンドルを設けた構成。
前記第一固定部材に、前記液晶モニタの背面に固定される回転盤を設けた構成。
【考案の効果】
【００１０】
本考案によれば、液晶モニタとマザーボード等を収納した筐体本体とを一体に取り付けることができるので、筐体本体の内部空間を広くして収容性を高めても嵩張らず、小型化と拡張性の良さとを両立することが可能となる。
また、筐体本体に取り付けた液晶モニタは、平台によって下から支えられるので安定性が高い。
【考案を実施するための最良の形態】
【００１１】
本考案のコンピュータ筐体は、図１〜図３に示すように、マザーボード４５を収容した筐体本体１０と、液晶モニタ３０を取り付けるためのモニタ取付部材２０とから成る。
図２に示すように、筐体本体１０の前面１１及び背面は側面１４よりも幅広く形成され、筐体本体１０の前面１１の下部から前方へ平台１２が一体に突出して、側面視でＬ字形となっている。
【００１２】
平台１２は、内部にコンピュータ周辺機器を収容可能な収容空間を有する。図３に示すように、平台１２に収容されるコンピュータ周辺機器は、ハードディスク（ＨＤＤ）、光ディスクドライブ（ＣＤ  ＲＯＭ、ＤＶＤ  ＲＯＭ）、書き込み装置（ＤＶＤ  read&write）４１及び電源供給装置４２等の比較的重い装置とする。この結果、筐体本体１０の安定性が向上し、筐体本体１０に液晶モニタ３０を取り付けても倒れ難くなる。
図２に示すように、光ディスクドライブ及び書き込み装置４１のディスクスロット４３を平台１２の前面パネル１３に形成し、前方から光ディスクを容易に出し入れできるようにしてある。
【００１３】
図３に示すように、電源供給装置４２の通気と放熱を行なう通風孔４４を筐体本体１０の側面１４の下部に設けてある。
また、筐体本体１０の側面１４には、筐体本体１０内の装置へ電気的に接続するための各種コネクタ４６を設けてある。
コネクタ４６としては、マザーボード４５の内蔵チップ（ディスプレイ・サウンド一体型チップ等）へ接続するためのものや、差込式拡張カード（ワイヤレスネットワークカード、テレビカード等）を接続するためのものがある。また、ビデオ出力用のコネクタ４６と液晶モニタ３０とをケーブルで接続することもできる。
これにより、背面にコネクタを設置したものに比べて、コネクタ４６を介しての接続を容易に行なうことができる。
【００１４】
モニタ取付部材２０は、平台１２の上方において筐体本体１０の前面１１に設置され、筐体本体１０の前面１１に固定される第一固定部材２１と、液晶モニタ３０の背面に固定される第二固定部材２２とから成る。そして、第一固定部材２１と第二固定部材２２とを係合することにより、液晶モニタ３０を筐体本体１０の前面１１に掛けて取り付けることができる。
図４に示すように、第一固定部材２１及び第二固定部材２２には、互いにスライド可能に係合する第一レール２１１及び第二レール２２１をそれぞれ縦方向に沿って装着してある。第一レール２１１と第二レール２２１とをスライドさせると第二固定部材２２の高さ、即ち液晶モニタ３０の高さが変わり、液晶モニタ３０の寸法が変化しても液晶モニタ３０の下端面を平台１２で支持することができる。
【００１５】
また、第二固定部材２２には複数の嵌合孔２２２を縦に並べて形成し、第一固定部材２１には嵌合孔２２２のいずれか１つに嵌合する突起２１２を設ける。
そして、第一レール２１１と第二レール２２１をスライドさせて液晶モニタ３０の高さを調節してから、嵌合孔２２２の一つを選択して突起２１２を嵌合させると、液晶モニタ３０はその位置で固定される。
なお、第一固定部材２１には、突起２１２を嵌合孔２２２から退避させるためのハンドル２１３を設け、ハンドル２１３を操作することにより、突起２１２と嵌合孔２２２との嵌合を解除することができる。
【００１６】
また、第一固定部材２１の前面に回転盤２２３を取り付け、液晶モニタ３０の背面において回転盤２２３の四隅部と対応する位置にネジ孔３１を形成する。回転盤２２３をネジ孔３１を介して液晶モニタ３０の背面に固定し、回転盤２２３を回転させることにより、液晶モニタ３０の角度を変えられるようになっている。
なお、本考案のコンピュータ筐体の構造は上記実施例に限定されない。例えば、筐体本体１０には平台１２を一体に形成せず、別々に製造してから組み立てることもできる。また、液晶モニタ３０は、液晶テレビ（ＬＣＤ  ＴＶ）であっても良い。
【図面の簡単な説明】
【００１７】
【図１】本考案の実施例に係るコンピュータ筐体及び液晶モニタの正面斜視図。
【図２】本考案の実施例に係るコンピュータ筐体及び液晶モニタの分解斜視図。
【図３】本考案の実施例に係るコンピュータ筐体及び液晶モニタの背面斜視図。
【図４】本考案の実施例に係るコンピュータ筐体及び液晶モニタの組立前における斜視図。
【符号の説明】
【００１８】
１０  筐体本体
１１  前面
１２  平台
１３  前面パネル
１４  側面
２０  モニタ取付部材
２１  第一固定部材
２１１  第一レール
２１２  突起
２１３  ハンドル
２２  第二固定部材
２２１  第二レール
２２２  嵌合孔
２２３  回転盤
３０  液晶モニタ
３１  ネジ孔
４１  書き込み装置
４２  電源供給装置
４３  ディスクスロット
４４  通風孔
４５  マザーボード
４６  コネクタ
【図１】
0003144013.tif 000003
【図２】
0003144013.tif 000004
【図３】
0003144013.tif 000005
【図４】
0003144013.tif 000006